(57)【要約】【課題】  簡易かつコンパクトな構造の筐体で、使用者に関する生体情報又は周辺環境に関する環境情報を有効かつ正確に計測できる電子機器及び状況通信装置を提供する。【解決手段】  状況通信装置１では、球状の筐体２の内部において載置面と平行に配置され、かつ筐体内径を直径とする円形基板である３枚の回路基板１３０ａ，１３０ｂ，１３０ｃが設けられている。温度センサ１３は、その計測結果に影響を与えるヒーター２４と異なる領域に位置するように、ヒーター２４が設置されている回路基板１３０ｃとは異なる回路基板１３０ａに設置されている。同様に、光センサ１５，匂いセンサ１８，マイク１９は、それぞれの計測結果に影響を及ぼすフラッシュランプ２２，匂い発生部２７，スピーカー２５とは異なる領域に位置するように、お互いが異なる回路基板１３０ａ，１３０ｂ，１３０ｃに設置されている。【選択図】  図３
2006300734.tif 000002
【特許請求の範囲】
【請求項１】
他の物体上に載置される筐体と、
前記筐体に設けられ、使用者に関する生体情報又は周辺環境に関する環境情報を計測する一又は複数の計測手段と、
前記筐体に設けられ、使用者に対して報知するための一又は複数の報知手段と、
前記計測手段及び前記報知手段の少なくとも一つが接続される電気回路が各々形成された複数の基板であって、前記筐体の内部において各々が間隔を空けて積層配置された複数の回路基板と
を備えたことを特徴とする電子機器。
【請求項２】
前記複数の回路基板は、前記筐体の内部において前記他の物体への載置面と各々平行に、筐体内部の領域を仕切るように配置されたことを特徴とする請求項１に記載の電子機器。
【請求項３】
前記筐体は、内面に曲面を有する球体であり、
前記複数の回路基板は、各々が配置される平行面における前記筐体の断面内径を直径とする円形の基板であることを特徴とする請求項２に記載の電子機器。
【請求項４】
前記一又は複数の計測手段は、該計測手段の各々の計測結果に影響を及ぼす前記一又は複数の報知手段に対して離間した位置に設けられたことを特徴とする請求項１乃至３のいずれかに記載の電子機器。
【請求項５】
前記一又は複数の計測手段と、該計測手段の各々の計測結果に影響を及ぼす前記一又は複数の報知手段とは、各々異なる筐体内部の領域に設けられたことを特徴とする請求項４に記載の電子機器。
【請求項６】
前記一又は複数の計測手段と、該計測手段の各々の計測結果に影響を及ぼす前記一又は複数の報知手段とは、平面視、筐体の中心に対して点対称の位置に配置されたことを特徴とする請求項４又は５に記載の電子機器。
【請求項７】
前記一又は複数の計測手段は、特定の方向から計測を行う指向性を備え、
前記一又は複数の報知手段は、前記一又は複数の計測手段の指向性とは異なる特定の方向に対して報知を行う指向性を備えたことを特徴とする請求項１乃至６のいずれかに記載の電子機器。
【請求項８】
請求項１乃至７のいずれかに記載の電子機器を備えた状況通信装置であって、
前記一又は複数の報知手段は、使用者の状況を表現する一又は複数の状況表現手段であり、
前記一又は複数の計測手段により計測された計測情報又は該計測情報に基づく情報を送信する送信手段と、
前記計測情報又は該計測情報に基づく情報を受信する受信手段と、
前記受信手段が受信した前記計測情報又は該計測情報に基づく情報に応じて前記状況表現手段を制御する状況表現制御手段と
を備えたことを特徴とする状況通信装置。
【発明の詳細な説明】
【技術分野】
【０００１】
本発明は、電子機器及び状況通信装置に関するものであり、詳細には、筐体に各種センサや各種アクチュエータを具備した電子機器及び状況通信装置に関するものである。
【背景技術】
【０００２】
従来、他人とコミュニケーションをとる手段として、電話機などの通話装置で会話するという手段が一般的に行われている。このような通話装置において、通話相手とのコミュニケーションをより高めるために通話装置にキャラクタを表示する表示部を設け、使用者本人と通話相手のキャラクタを表示部に表示する通話装置が知られている（例えば、特許文献１参照）。この通話装置では、さらに使用者の体温や心拍、携帯機器を握る握力等の変化を検知して、より確実に感情推定を行うことが提案されている。
【０００３】
ところで、電子機器の筐体に各種センサや各種アクチュエータなどの部品を配置しようとすると、これらの部品が接続される回路基板をより大型にする必要がある。そして、部品数の多さや回路基板の大きさによって、筐体内により広い収容スペースを設ける必要が生じ、電子機器の筐体が大型化してしまう。そのため、従来の電子機器では、筐体の内部構造や部品の配置などを工夫することで、筐体を大型化することなく各種部品を実装させることが知られている。
【０００４】
例えば、被写体側から見てカメラボディの右上に配置した、少なくとも撮像光学系と、ファインダ光学系と、ストロボ照射部とを、単一のバリヤ部材で遮蔽可能としたデジタルスチルカメラが知られている。これにより、撮影者の右手指が撮像光学系などに触れにくくなり、それにより不用意に撮像光学系などが汚染されることを防止して、既存の機能を維持しながらもコンパクト性を確保するものである（例えば、特許文献２参照）。
【特許文献１】特開２００３−２４８８４１号公報
【特許文献２】特開２０００−１７１８５８号公報
【発明の開示】
【発明が解決しようとする課題】
【０００５】
ところで、特許文献１に記載の発明のように、各端末の使用者の感情や状況などを相手方の端末に伝達する電子機器では、各使用者に関する生体情報又は周辺環境に関する環境情報を各種センサで検出するとともに、各使用者の感情や状況などを各種アクチュエータで報知している。ここで、各種アクチュエータによる報知動作が、各種センサによる計測動作に影響を及ぼす場合があるため、各種アクチュエータと各種センサとの相互作用も考慮して、これらの部品を適切に電子機器に具備させる必要がある。例えば、ヒーターと温度センサとが筐体内に近接して設けられていると、ヒーターによる発熱が温度センサによる温度検出に影響を及ぼすため、温度センサでは正確に使用者の体温や周辺環境の気温を計測することができない。そのため、ヒーターの影響が温度センサに及ばないように配慮して、ヒーター及び温度センサを電子機器に具備させる必要がある。
【０００６】
そして、各種アクチュエータによる各種センサへの影響を排除しようとする場合には、両者間にその影響を防ぐための部材（断熱材や防音材など）を別途設けたり、両者を離間させて配置したりすることが考えられる。しかしながら、かかる構造や配置によれば、電子機器の筐体内部の構造が複雑化したり筐体が大型化したりして、製造やメンテナンスに手間が生じるという問題がある。
【０００７】
本発明は、上記課題を解決するためになされたものであり、簡易かつコンパクトな構造の筐体で、使用者に関する生体情報又は周辺環境に関する環境情報を有効かつ正確に計測可能な電子機器及び状況通信装置を提供することを目的とする。
【課題を解決するための手段】
【０００８】
上記目的を達成するために、請求項１に係る発明の電子機器は、他の物体上に載置される筐体と、前記筐体に設けられ、使用者に関する生体情報又は周辺環境に関する環境情報を計測する一又は複数の計測手段と、前記筐体に設けられ、使用者に対して報知するための一又は複数の報知手段と、前記計測手段及び前記報知手段の少なくとも一つが接続される電気回路が各々形成された複数の基板であって、前記筐体の内部において各々が間隔を空けて積層配置された複数の回路基板とを備えている。
【０００９】
また、請求項２に係る発明の電子機器は、請求項１に記載の発明の構成に加え、前記複数の回路基板は、前記筐体の内部において前記他の物体への載置面と各々平行に、筐体内部の領域を仕切るように配置されたことを特徴とする。
【００１０】
また、請求項３に係る発明の電子機器は、請求項２に記載の発明の構成に加え、前記筐体は、内面に曲面を有する球体であり、前記複数の回路基板は、各々が配置される平行面における前記筐体の断面内径を直径とする円形の基板であることを特徴とする。
【００１１】
また、請求項４に係る発明の電子機器は、請求項１乃至３のいずれかに記載の発明の構成に加え、前記一又は複数の計測手段は、該計測手段の各々の計測結果に影響を及ぼす前記一又は複数の報知手段に対して離間した位置に設けられたことを特徴とする。
【００１２】
また、請求項５に係る発明の電子機器は、請求項４に記載の発明の構成に加え、前記一又は複数の計測手段と、該計測手段の各々の計測結果に影響を及ぼす前記一又は複数の報知手段とは、各々異なる筐体内部の領域に設けられたことを特徴とする。
【００１３】
また、請求項６に係る発明の電子機器は、請求項４又は５に記載の発明の構成に加え、前記一又は複数の計測手段と、該計測手段の各々の計測結果に影響を及ぼす前記一又は複数の報知手段とは、平面視、筐体の中心に対して点対称の位置に配置されたことを特徴とする。
【００１４】
また、請求項７に係る発明の電子機器は、請求項１乃至６のいずれかに記載の発明の構成に加え、前記一又は複数の計測手段は、特定の方向から計測を行う指向性を備え、前記一又は複数の報知手段は、前記一又は複数の計測手段の指向性とは異なる特定の方向に対して報知を行う指向性を備えたことを特徴とする。
【００１５】
また、請求項８に係る発明の状況通信装置は、請求項１乃至７のいずれかに記載の電子機器を備えた状況通信装置であって、前記一又は複数の報知手段は、使用者の状況を表現する一又は複数の状況表現手段であり、前記一又は複数の計測手段により計測された計測情報又は該計測情報に基づく情報を送信する送信手段と、前記計測情報又は該計測情報に基づく情報を受信する受信手段と、前記受信手段が受信した前記計測情報又は該計測情報に基づく情報に応じて前記状況表現手段を制御する状況表現制御手段とを備えている。
【発明の効果】
【００１６】
請求項１に係る発明の電子機器では、筐体には計測手段や報知手段が設けられ、計測手段や報知手段が接続される電気回路が各々形成された複数の回路基板を、筐体の内部において各々が間隔を空けて積層されるように配置した。よって、簡易かつコンパクトな構造の筐体で、使用者に関する生体情報又は周辺環境に関する環境情報を有効かつ正確に計測することができる。
【００１７】
また、請求項２に係る発明の電子機器では、請求項１に記載の発明の効果に加え、複数の回路基板を筐体の内部において他の物体への載置面と各々平行に、筐体内部の領域を仕切るように配置した。よって、電子機器の筐体内部を上下方向に分割した複数領域に仕切ることができる。さらに、筐体内部を仕切るための部材を別途設ける必要がなく、本発明に係る電子機器を簡易な構成とすることができる。
【００１８】
また、請求項３に係る発明の電子機器では、請求項２に記載の発明の効果に加え、筐体は内面に曲面を有する球体とし、回路基板は筐体の内径を直径とする円形基板とした。よって、電子機器の筐体内部において最大面積となるように回路基板を配置することができ、また筐体内部を上下方向に分割した複数領域に仕切ることができる。
【００１９】
また、請求項４に係る発明の電子機器では、請求項１乃至３のいずれかに記載の発明の効果に加え、計測手段をその計測結果に影響を及ぼす報知手段に対して離間した位置に設けた。よって、報知手段による影響が計測手段に及びにくいように両者を離間して配置したため、計測手段はより正確かつ有効に生体情報又は環境情報を計測することができる。
【００２０】
また、請求項５に係る発明の電子機器では、請求項４に記載の発明の効果に加え、計測手段とその計測結果に影響を及ぼす報知手段とを各々異なる筐体内部の領域に設けた。よって、報知手段による影響が計測手段に及びにくいように両者を筐体における異なる領域に配置したため、計測手段はより正確かつ有効に生体情報又は環境情報を計測することができる。
【００２１】
また、請求項６に係る発明の電子機器では、請求項４又は５に記載の発明の効果に加え、計測手段とその計測結果に影響を及ぼす報知手段とを、平面視、点対称の位置に配置した。よって、報知手段による影響が計測手段に及びにくいように両者を反対方向に配置したため、計測手段はより正確かつ有効に生体情報又は環境情報を計測することができる。
【００２２】
また、請求項７に係る発明の電子機器では、請求項１乃至６のいずれかに記載の発明の効果に加え、計測手段は特定の方向から計測を行う指向性を備え、報知手段は計測手段の指向性とは異なる特定の方向に対して報知を行う指向性を備えた。よって、計測手段と報知手段とは相互に影響が及ばないように異なる方向に対して指向性を有するため、計測手段はより正確かつ有効に生体情報又は環境情報を計測することができる。
【００２３】
また、請求項８に係る発明の状況通信装置では、請求項１乃至７のいずれかに記載の電子機器が、計測情報又はそれに基づく情報を送信する一方、計測情報又はそれに基づく情報を受信し、使用者の状況を表現する。よって、状況通信装置を用いている使用者の感情や状況を相互に伝達しあうことで、使用者間のコミュニケーションを図ることができる。
【発明を実施するための最良の形態】
【００２４】
以下、本発明の第１の実施の形態に係る状況通信装置１を説明する。図１は、状況通信装置１のイメージを表す平面図である。図２は、状況通信装置１の電気的構成を示すブロック図である。なお、図１における下方向が状況通信装置１の正面方向とし、図１における上方向が状況通信装置１の背面方向とする。
【００２５】
図１に示すように、状況通信装置１の筐体２は略球形状で構成されている。この筐体２は人の手に握られる程度のサイズ、即ち、直径５〜１０ｃｍ程度である。なお、本実施の形態では、筐体２の下端部が重力方向（下方向）を向いている姿勢を、状況通信装置１の基本姿勢とする（図３参照）。
【００２６】
図２に示すように、状況通信装置１では、使用者に関する生体情報及び周辺環境に関する環境情報（以下、これらを計測値という）が各種センサ１１〜１９により収集され、その計測値に基づく情報が決定される。なお、生体情報とは、状況通信装置１を用いている使用者から計測された情報といい、環境情報とは状況通信装置１の周辺環境から計測された情報という。例えば、後述の温度センサ１３において、状況通信装置１を握っている使用者から計測された体温は生体情報に該当し、状況通信装置１の周辺環境から計測された気温は環境情報に該当する。
【００２７】
そして、状況通信装置１は、近隣に存在する他の状況通信装置１と通信可能であり、各種センサ１１〜１９から収集された計測値やその計測値に基づいて決定された情報等を送受信する。各種アクチュエータ２１〜２７では、他の状況通信装置１から受信した情報に基づいて動作が実行され、他の使用者の感情や状況が表現される。このように、各状況通信装置１は各使用者の感情や状況を相互に伝達しあって、状況通信装置１を所持している人間同士のコミュニケーションを図ることができる。
【００２８】
また、携帯電話網又はＰＨＳ電話網等の移動通信網の基地局３に接続可能であり、この基地局３を介してインターネット４に接続可能であり、インターネット４上のサービス提供サーバに接続することにより、種々のサービスを利用することができる。また、状況通信装置１は、パーソナルコンピュータ（以下、ＰＣと呼ぶ）５にケーブルを用いて接続可能であり、ＰＣ５からデータを取り込んだり、ＰＣ５へデータを送り込んだりすることができ、さらに、ＰＣ５もインターネット４に接続可能である。
【００２９】
そして、図２に示すように、状況通信装置１には、その制御を司るＣＰＵ１０，ＲＯＭ２０，ＲＡＭ３０，時間を計測する計時装置４０，他の状況通信装置１と送受信するための送受信部５０，無線通信網の基地局３と通信するための通信部６０，各種モジュールを接続するためのＩ／Ｏインタフェイス７０等が収納された制御部１１０が設けられている。送受信部５０と通信部６０とが、外部機器との通信を行う通信ユニット１２０を構成する。そして、制御部１１０ではバス８０を介して、ＲＯＭ２０，ＲＡＭ３０，計時装置４０，通信ユニット１２０，Ｉ／Ｏインタフェイス７０が、ＣＰＵ１０に接続している。なお、電源供給用のバッテリーを内蔵した電源部１００がＩ／Ｏインタフェイス７０に接続されており、状況通信装置１は電源部１００により電源供給されている。
【００３０】
また、状況通信装置１は、各種センサ１１〜１９が接続されるＡＤ変換器９０と、各種アクチュエータ２１〜２７を差し込むための拡張ポート９１とを具備している。ＡＤ変換器９０はＩ／Ｏインタフェイス７０及びバス８０を介してＣＰＵ１０に接続しており、各種センサ１１〜１９から入力されるアナログデータの計測値が、ＡＤ変換器９０によりデジタルデータに変換されて制御部１１０に入力される。拡張ポート９１もＩ／Ｏインタフェイス７０及びバス８０を介してＣＰＵ１０に接続しており、制御部１１０から出力されるデジタルデータの指示信号が、拡張ポート９１を介して各種アクチュエータ２１〜２７に入力される。そして、各種センサ１１〜１９はＡＤ変換器９０において着脱，追加，交換などが可能であり、各種アクチュエータ２１〜２７は拡張ポート９１において着脱，追加，交換などが可能である。
【００３１】
なお、曲げセンサ１１は、歪ゲージを用いて状況通信装置１の表面の歪み具合を計測する。加速度センサ１２は、静電容量の変化、圧電セラミック等を利用する加速度センサであり、状況通信装置１の動き（状況通信装置１にかかった加速度とその方向）を計測する。温度センサ１３は、白金測温抵抗体、サーミスタ、熱電対などを用いている、所謂温度計であり、状況通信装置１の周囲の温度及び装置に触れている手のひらや指の温度を計測する。心拍センサ１４は所謂感圧センサであり、状況通信装置１の表面に設けられている。そして、血流の圧力を計測して触れている人の心拍（脈拍数）を計測する。また、所謂赤外線センサを設け、血液の膨張収縮による距離の差分を検出して、触れている人の心拍（脈拍数）を計測してもよい。光センサ１５は、フォトトランジスタやＣｄＳ等を利用した光の強さを計測するセンサであり、状況通信装置１の表面に設けられている。
【００３２】
感圧センサ１６は、所謂圧力センサであり、状況通信装置１の表面に設けられ、導電性ゴムに定抵抗を直列接続し、ある電圧をかけて導電性ゴムの分圧値を測定することにより状況通信装置１にかかった圧力を計測する。湿度センサ１７は、状況通信装置１の表面に設けられ、セラミックスや高分子を用いて状況通信装置１の周りの空気中の水分量を計測する。匂いセンサ１８は、所謂ガスセンサと同様に、半導体薄膜を用いて電気抵抗の変化などから匂いを計測する。マイク１９は音声等、状況通信装置１の周囲の音を入力する。
【００３３】
また、ＬＥＤ２１は種々の色や明るさで点灯する。フラッシュランプ２２は種々の強さで発光する。モーター２３は状況通信装置１を振動させる。ヒーター２４は状況通信装置１の表面を低温（使用者が暖かさを感じ、やけどをしない温度）で熱する。スピーカー２５は音声を出力する。７セグメントＬＥＤ２６は１桁の数字を表示可能である。匂い発生部２７は、あらかじめ芳香剤が封入された箱状部材の蓋を開閉して匂いを発生させる。
【００３４】
そして、図１に示すように、本実施の形態に係る状況通信装置１を上方からみた場合（平面視）、筐体２の右手正面（図１における右下）にＵＳＢポート７５が設けられている。ＵＳＢポート７５はバス８０に接続しており（図２参照）、このＵＳＢポート７５にＵＳＢケーブルを接続することにより、ＰＣ５と接続することができる。また、筐体２の上端部付近（図１における中央付近）にフラッシュランプ２２、その四方にＬＥＤ２１１，２１２，２１３，２１４（纏めてＬＥＤ２１と呼ぶ）が設けられている。また、筐体２の左側面（図１における左側）にはマイク１９が設けられ、筐体２の右側面（図１における右側）にはスピーカー２５が設けられており、フラッシュランプ２２の背面方向（図１における上方向）には７セグメントＬＥＤ２６が設けられている。なお、他のモジュール（各種センサや各種アクチュエータ）は、理解を容易にするために図示していない。
【００３５】
なお、状況通信装置１には、パーソナルコンピュータのようなキーボードは設けられていない。そこで、状況通信装置１の各種センサ１１〜１９が検知した情報を所定の動作を指示する指示入力として予め登録しておき、使用者が状況通信装置１を握ってジェスチャ（所定回数振る、握る等）を行うことにより動作の指示を行っている。
【００３６】
次に、状況通信装置１の筐体構造と各種センサ１１〜１９及び各種アクチュエータ２１〜２７の配置について説明する。図３は、状況通信装置１を斜め上方方向からみた断面図である。なお、以下では理解を容易にするために、本発明の説明に必要な構成のみを図示し、例えば各種センサ１１〜１９のうちで加速度センサ１２，温度センサ１３，光センサ１５，匂いセンサ１８，マイク１９のみを図示して、具体的に説明する。
【００３７】
図３に示すように、状況通信装置１の筐体２は、数ｍｍの厚み（例えば、５ｍｍ厚）の透明性を有する合成樹脂で球状に構成されており、その内部には球状の密閉空間が形成されている。そして、その筐体２には、各種センサ１１〜１９と、各種アクチュエータ２１〜２７と、電源部１００と、制御部１１０と、これらが接続される電気回路が形成された３枚の回路基板１３０ａ，１３０ｂ，１３０ｃなどが具備されている。なお、各種センサ１１〜１９及び各種アクチュエータ２１〜２７のうちで回路基板１３０ａ，１３０ｂ，１３０ｃのいずれかの表面に直接設置されていないものは、接続コードを介して回路基板１３０ａ，１３０ｂ，１３０ｃのいずれかに接続されている。
【００３８】
回路基板１３０ａは、筐体２の下端部における他の物体に載置される平面（載置面）と平行であって、かつ当該筐体２の中心をとおる平面に配置されている。そして、回路基板１３０ａの上面には４本の棒状の支持部材１４０ａが立設されており、各支持部材１４０ａの上端において回路基板１３０ｂが固定されている。また、回路基板１３０ｂの上面には４本の棒状の支持部材１４０ｂが立設されており、各支持部材１４０ｂの上端において回路基板１３０ｃが固定されている。すなわち、本実施の形態に係る状況通信装置１では、各種センサ１１〜１９や各種アクチュエータ２１〜２７などが接続された回路基板１３０ａ，１３０ｂ，１３０ｃが、筐体２内の上側半分（筐体２における上半球）において載置面と各々平行に設けられている。
【００３９】
そして、回路基板１３０ａ，１３０ｂ，１３０ｃは、筐体２の内部で各々が平行をなすように配置されており、回路基板１３０ａ及び回路基板１３０ｂの間隔幅と回路基板１３０ｂ及び回路基板１３０ｃの間隔幅とは略同一である。また、回路基板１３０ａ，１３０ｂ，１３０ｃは、各々が配置される平行面における筐体２の断面内径を直径とする円形基板である。このような構造により、筐体２内の上側半分（筐体２における上半球）は、略均等な幅（高さ）で上下方向に分割した３層の領域に仕切られている。
【００４０】
より詳細には、回路基板１３０ａの上面には、温度センサ１３，光センサ１５，モーター２３，スピーカー２５（図示外），匂い発生部２７などの部品が、回路基板１３０ａの上面の周縁部に間隔を空けて設置されている。また、回路基板１３０ｂの上面には、その平面中心部に加速度センサ１２が設けられ、その周縁部にマイク１９が設置されている。また、回路基板１３０ｃの上面には、その平面中心部にＬＥＤ２１，フラッシュランプ２２，７セグメントＬＥＤ２６が設置され、その周縁部に匂いセンサ１８及びヒーター２４が間隔を空けて設置されている。
【００４１】
先述のように、筐体２は透明性を有する合成樹脂で形成されているから、使用者が状況通信装置１を上方から見ると（平面視）、回路基板１３０ｃの上面に設けられたＬＥＤ２１，フラッシュランプ２２，７セグメントＬＥＤ２６を視認可能である（図１参照）。なお、温度センサ１３とヒーター２４とは、平面視、筐体２の中心に対して点対称となるように配置されている。同様に、匂いセンサ１８と匂い発生部２７との位置関係や，マイク１９とスピーカー２５との位置関係も、平面視、筐体２の中心に対して点対称となっている。
【００４２】
次に、各種センサ１１〜１９及び各種アクチュエータ２１〜２７の動作及び位置の関係について、詳細に説明する。図４は、光センサ１５とフラッシュランプ２２の位置関係を示す、状況通信装置１の側面断面図である。図５は、温度センサ１３とヒーター２４の位置関係を示す、状況通信装置１の側面断面図である。図６は、匂いセンサ１８と匂い発生部２７の位置関係を示す、状況通信装置１の側面断面図である。図７は、マイク１９とスピーカー２５の位置関係を示す、状況通信装置１の側面断面図である。
【００４３】
図４に示すように、状況通信装置１を正面方向（図１の下方向）からみると、筐体２の中心をとおる断面では、光センサ１５は回路基板１３０ａの上面に配置され、フラッシュランプ２２は回路基板１３０ｃの上面に配置されている。そして、光センサ１５は筐体２の左側面方向（図１の左方向，図４の左方向）から光を計測する指向性を有する一方、フラッシュランプ２２は筐体２の上方向（図１の正面方向，図４の上方向）に光を発する指向性を有する。
【００４４】
このように、光センサ１５とフラッシュランプ２２とは回路基板１３０ｂ及び回路基板１３０ｃによって各々隔てられた異なる領域に配置されている。さらに、光センサ１５とフラッシュランプ２２とはそれぞれ異なる方向に対して指向性を有しているため、フラッシュランプ２２から発せられた光が光センサ１５で直接検出されることはない。すなわち、フラッシュランプ２２の光による影響が光センサ１５に及びにくいため、光センサ１５は正確かつ有効に光を計測することができる。なお、図示しないが、ＬＥＤ２１及び７セグメントＬＥＤ２６も、フラッシュランプ２２と同様に回路基板１３０ｃの上面に配置され、また筐体２の上方向に光を発する指向性を有するため、光センサ１５による計測結果に直接影響を与えることがない。
【００４５】
また、図５に示すように、状況通信装置１を右側面方向（図１の右方向）からみると、筐体２の中心をとおる断面では、温度センサ１３は回路基板１３０ａの上面に配置され、ヒーター２４は回路基板１３０ｃの上面に配置されている。さらに、温度センサ１３とヒーター２４とは、平面視、筐体２の中心に対して点対称となるように配置されている。そして、温度センサ１３は周囲の温度を計測する一方、ヒーター２４はその周囲を加熱する。
【００４６】
このように、温度センサ１３とヒーター２４とは回路基板１３０ｂ及び回路基板１３０ｃによって各々隔てられた異なる領域に離間して配置されている。さらに、ヒーター２４から発せられた熱は上昇するため、ヒーター２４より下方に位置する温度センサ１３を熱することがなく、ヒーター２４から発せられた熱が温度センサ１３で直接検出されることはない。すなわち、ヒーター２４の熱による影響が温度センサ１３に及びにくいため、温度センサ１３は正確かつ有効に温度を計測することができる。
【００４７】
また、図６に示すように、状況通信装置１を左側面方向（図１の左方向）からみると、筐体２の中心をとおる断面では、匂いセンサ１８は回路基板１３０ｃの上面に配置され、匂い発生部２７は回路基板１３０ａの上面に配置されている。さらに、匂いセンサ１８と匂い発生部２７とは、平面視、筐体２の中心に対して点対称となるように配置されている。そして、匂いセンサ１８はその周囲の匂いを計測する一方、匂い発生部２７はその周囲に匂いを発する。
【００４８】
このように、匂いセンサ１８と匂い発生部２７とは回路基板１３０ｂ及び回路基板１３０ｃによって各々隔てられた異なる領域に離間して配置されている。さらに、筐体２の内部は回路基板１３０ａ，１３０ｂ，１３０ｃによって複数領域に仕切られているので、匂いセンサ１８から発せられた匂いが筐体２の内部を通って匂いセンサ１８まで流動しにくい。すなわち、匂いセンサ１８の匂いによる影響が匂いセンサ１８に及びにくいため、匂いセンサ１８は正確かつ有効に匂いを計測することができる。
【００４９】
また、図７に示すように、状況通信装置１を背面方向（図１の上方向）からみると、筐体２の中心をとおる断面では、マイク１９は回路基板１３０ｂの上面に配置され、スピーカー２５は回路基板１３０ａの上面に配置されている。さらに、マイク１９とスピーカー２５とは、平面視、筐体２の中心に対して点対称となるように配置されている。そして、マイク１９はその周囲の音を計測する一方、スピーカー２５はその周囲に音を発する。
【００５０】
このように、マイク１９とスピーカー２５とは回路基板１３０ｂによって各々隔てられた異なる領域に離間して配置されているため、スピーカー２５から発せられた音がマイク１９で直接検出されることはない。すなわち、スピーカー２５の音による影響がマイク１９に及びにくいため、マイク１９は正確かつ有効に音を計測することができる。
【００５１】
なお、スピーカー２５から発せられた音が、回路基板１３０ａ，１３０ｂを介して伝達されてマイク１９により検出されるおそれがある。そこで、本実施の形態では、マイク１９を回路基板１３０ｂの上面に直接設置せずに、支持部材（図示外）によって回路基板１３０ｂの上方に浮かせた状態で実装して、マイク１９と回路基板１３０ｂとをコードを介して接続している。これにより、マイク１９では回路基板１３０ａ，１３０ｂを伝わってくる音が低減されて、スピーカー２５の影響をさらに低減することができる。
【００５２】
以上、第１の実施の形態に係る状況通信装置１によれば、筐体２に各種センサ１１〜１９や各種アクチュエータ２１〜２７を設けて、これらが接続される電気回路が各々形成された複数の回路基板１３０ａ，１３０ｂ，１３０ｃを、筐体２の内部において各々が間隔を空けて積層されるように配置した。よって、簡易かつコンパクトな構造の筐体２で、各種センサ１１〜１９により使用者に関する生体情報又は周辺環境に関する環境情報を有効かつ正確に計測することができる。
【００５３】
また、複数の回路基板１３０ａ，１３０ｂ，１３０ｃを、内面に曲面を有する筐体２の内径を直径とする円形基板とし、筐体２の内部において他の物体への載置面と各々平行に、筐体２の内部領域を仕切るように配置した。よって、筐体２の内部において最大面積となるように回路基板１３０ａ，１３０ｂ，１３０ｃを配置することができ、また筐体２の内部を上下方向に分割した複数領域に仕切ることができる。さらに、筐体２の内部を仕切るための部材を別途設ける必要がなく、状況通信装置１を簡易な構成とすることができる。
【００５４】
また、各種センサ１１〜１９とその計測結果に影響を及ぼす各種アクチュエータ２１〜２７とが離間するように、それぞれ異なる回路基板１３０ａ，１３０ｂ，１３０ｃの上部に設けて、かつ、平面視、筐体２の中心に対して点対称の位置に配置して、さらに両者が異なる指向性を有する等した。よって、各種アクチュエータ２１〜２７による影響が各種センサ１１〜１９に及びにくくして、各種センサ１１〜１９はより正確かつ有効に生体情報又は環境情報を計測することができる。
【００５５】
また、状況通信装置１は、計測情報又はそれに基づく情報を送信する一方、計測情報又はそれに基づく情報を受信し、使用者の状況を表現するものである。よって、状況通信装置１を用いている使用者の感情や状況を相互に伝達しあうことで、使用者間のコミュニケーションを図ることができる。
【００５６】
次に、本発明の第２の実施の形態について説明する。第２の実施の形態は、基本的に第１の実施の形態と同様であるが、緩衝部材１５０を設けた点が異なる。以下、第１の実施の形態と異なる点のみを説明する。図８は、加速度センサ１２とモーター２３の位置関係を示す、状況通信装置１の側面断面図である。
【００５７】
図８に示すように、状況通信装置１を右手正面方向（図１の右下方向）からみると、筐体２の中心をとおる断面では、加速度センサ１２は回路基板１３０ｂの上面に配置され、モーター２３は回路基板１３０ａの上面に配置されている。そして、加速度センサ１２はその位置において筐体２の動きを計測する一方、モーター２３はその位置を中心として筐体２全体を振動させる。
【００５８】
このように、加速度センサ１２とモーター２３とは回路基板１３０ｂによって各々隔てられた異なる領域に配置されているため、モーター２３から発せられた振動が加速度センサ１２で直接検出されることはない。すなわち、モーター２３の振動による影響が加速度センサ１２に及びにくいため、加速度センサ１２は正確かつ有効に加速度を計測することができる。
【００５９】
なお、モーター２３から発せられた振動が、回路基板１３０ａ，１３０ｂを介して伝達されて加速度センサ１２により検出されるおそれがある。そこで、本実施の形態では、回路基板１３０ｂ及び回路基板１３０ｃの側面の全周及び平面の周縁部に、ゴム製の弾性部材である緩衝部材１５０を設けている。緩衝部材１５０は、モーター２３の振動により回路基板１３０ｂが揺れ動いた場合、筐体２の内面に当接して伸縮することで回路基板１３０ｂの揺動を緩やかにする。これにより、マイク１９では回路基板１３０ｂを伝わってくる音が低減されて、スピーカー２５の影響をさらに低減することができる。尚、緩衝部材１５０は少なくとも回路基板１３０ｂに設けられておればよいが、回路基板１３０ａ及び回路基板１３０ｂの側面の全周及び平面の周縁部に緩衝部材１５０を設けてもよし、回路基板１３０ａ、回路基板１３０ｂ及び回路基板１３０ｃの側面の全周及び平面の周縁部に緩衝部材１５０を設けてもよい。
【００６０】
以上、第２の実施の形態に係る状況通信装置１によれば、加速度センサ１２とその計測結果に影響を及ぼすモーター２３とが離間するように、それぞれ異なる回路基板１３０ａ，１３０ｂの上部に設けて、さらに回路基板１３０ｂに振動を緩衝するための緩衝部材１５０を設けた。よって、加速度センサ１２による影響がモーター２３に及びにくくして、加速度センサ１２はより正確かつ有効に加速度を計測することができる。
【００６１】
ところで、上記実施の形態において、曲げセンサ（歪みセンサ）１１，加速度センサ１２，温度センサ１３，心拍センサ１４，光センサ１５，感圧センサ１６，湿度センサ１７，匂いセンサ１８，マイク１９が本発明の「計測手段」に相当し、電源部１００が本発明の「重み部材」に相当する。また、ＬＥＤ２１，フラッシュランプ２２，モーター２３，ヒーター２４，スピーカー２５，７セグメントＬＥＤ２６，匂い発生部２７が本発明の「報知手段」及び「状況表現手段」に相当し、送受信部５０及び通信部６０が本発明の「送信手段」及び「受信手段」に相当し、ＣＰＵ１０が本発明の「状況表現制御手段」に相当する。
【００６２】
なお、本発明の電子機器及び状況通信装置は、上記した実施の形態に限定されるものではなく、本発明の要旨を逸脱しない範囲内において種々変更を加えることができる。
【００６３】
上記実施の形態では、状況通信装置１は手のひらに納まるサイズの球体としているが、状況通信装置１の形状はこのようなものに限らず、任意の形状とすることができる。例えば、状況通信装置１の形状を立方体や直方体としてもよいし、楕円形状の断面を有する球体としてもよい。
【００６４】
また、「計測手段」として各種センサ１１〜１９を使用しているが、衝撃センサ、体温センサ、体脂肪センサ、血圧センサ、皮膚のしみを計測するセンサ、大気中の酸素濃度を計測するセンサ、大気中の二酸化炭素濃度を計測するセンサ等、種々の計測手段を用いてもよい。また、「報知手段」及び「状況表現手段」として、各種アクチュエータ２１〜２７を使用しているが、液晶パネルのような小型画面等を用いてもよい。また、上記実施の形態では、「報知手段」及び「状況表現手段」として各種アクチュエータ２１〜２７を共用しているが、それぞれ異なるアクチュエータを実装してもよい。
【００６５】
また、「回路基板」として、状況通信装置１の筐体２内において載置面と各々平行に配置され、かつ筐体２の内径を直径とする円形基板である回路基板１３０ａ，１３０ｂ，１３０ｃを例示したが、「回路基板」は任意の形状，位置，数量で配置することが可能である。例えば、「回路基板」を筐体２内における筐体中心よりも下方側にするように配置してもよいし、他の物体への載置面に対して平行とならないように傾けて配置してもよい。また、「回路基板」を矩形状や星型などの任意の形状としてもよいし、「回路基板」を２枚以下又は４枚以上設けてもよい。
【００６６】
また、上記実施の形態における、各種センサ１１〜１９や各種アクチュエータ２１〜２７の配置は一例に過ぎず、これらの部品の配置は設計者又は使用者の任意で変更可能であることはいうまでもない。例えば、各種センサ１１〜１９や各種アクチュエータ２１〜２７を回路基板１３０ａ，１３０ｂ，１３０ｃの各々の下面に配置したり、筐体２内における回路基板１３０ａの下側や筐体２の表面に配置したりなどである。
【産業上の利用可能性】
【００６７】
本発明の電子機器及び状況通信装置は、筐体に各種センサや各種アクチュエータを具備した電子機器及び状況通信装置に利用可能である。
【図面の簡単な説明】
【００６８】
【図１】状況通信装置１のイメージを表す平面図である。
【図２】状況通信装置１の電気的構成を示すブロック図である。
【図３】状況通信装置１を斜め上方方向からみた断面図である。
【図４】光センサ１５とフラッシュランプ２２の位置関係を示す、状況通信装置１の側面断面図である。
【図５】温度センサ１３とヒーター２４の位置関係を示す、状況通信装置１の側面断面図である。
【図６】匂いセンサ１８と匂い発生部２７の位置関係を示す、状況通信装置１の側面断面図である。
【図７】マイク１９とスピーカー２５の位置関係を示す、状況通信装置１の側面断面図である。
【図８】加速度センサ１２とモーター２３の位置関係を示す、状況通信装置１の側面断面図である。
【符号の説明】
【００６９】
１    状況通信装置
２    筐体
１０    ＣＰＵ
１１    センサ
１２    加速度センサ
１３    温度センサ
１４    心拍センサ
１５    光センサ
１６    感圧センサ
１７    湿度センサ
１８    匂いセンサ
１９    マイク
２０    ＲＯＭ
２１    ＬＥＤ
２２    フラッシュランプ
２３    モーター
２４    ヒーター
２５    スピーカー
２６    ７セグメントＬＥＤ
２７    匂い発生部
３０    ＲＡＭ
１３０ａ，１３０ｂ，１３０ｃ    回路基板
１４０ａ，１４０ｂ    支持部材
１５０  緩衝部材
【図１】
2006300734.tif 000003
【図２】
2006300734.tif 000004
【図３】
2006300734.tif 000005
【図４】
2006300734.tif 000006
【図５】
2006300734.tif 000007
【図６】
2006300734.tif 000008
【図７】
2006300734.tif 000009
【図８】
2006300734.tif 000010